(57)【特許請求の範囲】
【請求項１】
対向する壁面に貼着された軸受部材間に突っ張りブラケットを介してテンションバーを落とし込んで支持し、前記テンションバーと天井面との間に隙間が生じた状態で、前記テンションバーに日射遮蔽装置を取着する日射遮蔽装置の固定装置において、
前記テンションバーには、上縁部を後方へ延長した係止片を設け、該テンションバーの回動を阻止する傾き防止部材を前記係止片に嵌合して、前記テンションバーと天井面との隙間を充填することを特徴とする日射遮蔽装置の固定装置。
【請求項２】
前記傾き防止部材は、軟質合成樹脂で形成したことを特徴とする請求項１記載の日射遮蔽装置の固定装置。
【請求項３】
前記係止片と傾き防止部材には、該傾き防止部材の係止片からの脱落を防止する脱落防止手段を設けたことを特徴とする請求項１乃至２のいずれかに記載の日射遮蔽装置の固定装置。
【請求項４】
前記脱落防止手段は、係止片の先端にリブを設け、前記傾き防止部材には前記係止片を嵌挿可能とした嵌合溝を設けるとともに、該嵌合溝の奥部には前記リブに係合する凹部を設けて構成したことを特徴とする請求項３記載の日射遮蔽装置の固定装置。
【発明の詳細な説明】
【０００１】
【発明の属する技術分野】
この発明は、横型ブラインド、たくし上げカーテンあるいはプリーツカーテン等のヘッドボックス、ロールブラインドのフレームを対向する壁面間に固定する固定装置に関するものである。
【０００２】
【従来の技術】
ロールブラインドを対向する壁面間に固定するための固定装置の従来例を図２〜図４に従って説明する。
【０００３】
テンションバー１の両端部には、突っ張りブラケット２ａ，２ｂが取着され、対向する壁面３には軸受部材４ａ，４ｂが貼着される。そして、図２に示すように、一方の突っ張りブラケット２ａの圧接軸５ａを一方の軸受部材４ａに当接させた状態で、操作ダイアル１９ａ，１９ｂを回転操作して、他方の突っ張りブラケット２ｂ圧接軸５ｂを他方の軸受部材４ｂに当接させる。
【０００４】
この状態で、テンションバー１に回転可能に支持された操作レバー５を回転操作すると、圧接軸５ｂが他方の軸受部材４ｂに圧接されて、図３に示すように、テンションバー１が壁面３間に固定される。
【０００５】
そして、図４に示すように、ロールブラインドの取付フレーム６が取付ブラケット７を介してテンションバー１に取着される。
テンションバー１の上縁には、後方に向かって延びる係止片８が形成され、その係止片８を天井面９に当接させることにより、ロールブラインドのスクリーン操作時におけるテンションバー１の回動を阻止するようになっている。
【０００６】
【発明が解決しようとする課題】
上記のような固定装置では、テンションバー１を軸受部材４ａ，４ｂ間に固定する際、圧接軸５ａ，５ｂの端部を軸受部材４ａ，４ｂの下部に形成された凹部１０に落とし込んで脱落を防止する構成である。このため、テンションバー１と天井面９との間に所定の隙間が必要となる。
【０００７】
すると、スクリーンを下降操作するために、スクリーンを引き下げるとき、その操作力により軸受部材４ａ，４ｂが壁面３に対し回動して、図４に示すように、テンションバー１が傾いてしまうことがある。
【０００８】
この発明の目的は、テンションバーの傾きを確実に防止し得る固定装置を提供することにある。
【０００９】
【課題を解決するための手段】
請求項１では、対向する壁面に貼着された軸受部材間に突っ張りブラケットを介してテンションバーを落とし込んで支持し、前記テンションバーと天井面との間に隙間が生じた状態で、前記テンションバーに日射遮蔽装置を取着する日射遮蔽装置の固定装置において、前記テンションバーには、上縁部を後方へ延長した係止片を設け、該テンションバーの回動を阻止する傾き防止部材を前記係止片に嵌合して、前記テンションバーと天井面との隙間を充填する。
【００１０】
請求項２では、前記傾き防止部材は、軟質合成樹脂で形成した。
【００１１】
請求項３では、前記係止片と傾き防止部材には、該傾き防止部材の係止片からの脱落を防止する脱落防止手段を設けた。
請求項４では、前記脱落防止手段は、係止片の先端にリブを設け、前記傾き防止部材には前記係止片を嵌挿可能とした嵌合溝を設けるとともに、該嵌合溝の奥部には前記リブに係合する凹部を設けて構成した。
【００１３】
【発明の実施の形態】
図１は、この発明を具体化した一実施の形態を示す。前記従来例と同一構成部分は、同一符号を付して説明する。
【００１４】
テンションバー１は前記従来例と同一構成であり、壁面間に固定される。前記テンションバー１には、取付ブラケット７を介してロールブラインド１１の取付フレーム６が取着される。
【００１５】
前記取付フレーム６には、支持ブラケット１２を介して巻取軸１３が回転可能に支持され、その巻取軸１３にスクリーン１４が巻着されている。そして、巻取軸１３を回転させることにより、スクリーン１４を昇降可能となっている。
【００１６】
前記テンションバー１の係止片８には、傾き防止部材１５が同テンションバー１の全長において複数個嵌着されている。前記傾き防止部材１５は、軟質合成樹脂で形成され、前記係止片８を嵌挿可能とする嵌合溝１６が形成されている。
【００１７】
前記係止片８の先端には、上方へ突出するリブ１７が形成され、前記嵌合溝１６の奥部にはリブ１７に係合する凹部１８が形成されている。
そして、係止片８を嵌合溝１６に嵌挿すると、リブ１７が凹部１８に係合して、傾き防止部材１５が係止片８から容易には抜けないようになっている。
【００１８】
前記係止片８に嵌合された傾き防止部材１５は、その上縁が天井面９に当接して、テンションバー１の回動を阻止するようになっている。
上記のように構成された固定装置では、次に示す作用効果を得ることができる。
（１）対向する壁面間にテンションバー１を固定し、そのテンションバー１にロールブラインド１１を支持することができる。
（２）テンションバー１１の係止片８に傾き防止部材１５を嵌合すると、その傾き防止部材１５が天井面９に当接する。従って、テンションバー１と天井面との間に所要の隙間を確保しながら、スクリーンの引き下げ操作時のテンションバー１の無用な回動を未然に防止することができる。
（３）傾き防止部材１５は、係止片８に嵌合すると、嵌合溝１６内の凹部１８がリブ１７に係合するため、係止片８からの脱落を防止することができる。
【００１９】
上記実施の形態は、次に示すように変更することもできる。
・傾き防止部材１５は、テンションバー１の長手方向に一定の長さがあれば、１個でもよい。
・傾き防止部材１５は、軟質合成樹脂以外の材質としてもよい。
・テンションバー１で、横型ブラインド、たくし上げカーテン、プリーツカーテンのヘッドボックスを支持することもできる。
【００２０】
【発明の効果】
以上詳述したように、この発明はテンションバーの傾きを確実に防止し得る固定装置を提供することができる。
【図面の簡単な説明】
【図１】  一実施の形態の固定装置を示す断面図である。
【図２】  従来例を示す正面図である。
【図３】  従来例を示す正面図である。
【図４】  従来例を示す断面図である。
【符号の説明】
１            テンションバー
２ａ，２ｂ      突っ張りブラケット
３            壁面
９            天井面
１１          日射遮蔽装置（ロールブラインド）
１５          傾き防止部材
【図１】
0003711034.tif 000002
【図２】
0003711034.tif 000003
【図３】
0003711034.tif 000004
【図４】
0003711034.tif 000005